(57)【要約】【課題】種々の原稿搬送装置を接続可能とし、原稿を搬送しながら画像データを読み取って、原稿搬送装置から入力される色判定禁止信号により色判定処理機能を実現し、常に適正なカラー画像形成処理を行えるようにする。【解決手段】ＡＤＦ制御部２１によって原稿を搬送しながら、画像形成部３０の読み取り制御部３２によって原稿画像データを読み取る。読み取った画像データは、第１画像処理部３３３によって、主走査方向有効画像領域信号１と副走査方向有効画像領域信号１を組合せ回路３３１に出力する。組合せ回路３３１は、主走査方向有効画像領域信号１と副走査方向有効画像領域信号１と色判定禁止信号とを組合せて、新たな主走査方向有効画像領域信号２と副走査方向有効画像領域信号２を生成する。色領域判定部３３２は、主走査方向有効画像領域信号２および副走査方向有効画像領域信号２と、画像データに基づいて色判定処理を行う。【選択図】        図２
2007060052.tif 000002
【特許請求の範囲】
【請求項１】
原稿を自動搬送する原稿搬送装置と、
前記原稿搬送装置により原稿を搬送しながら原稿画像データを読み取る画像読み取り手段と、
前記画像読み取り手段により読み取った原稿画像データの主走査方向の有効画像領域を表す第１主走査方向有効画像領域信号と、原稿画像データの副走査方向の有効画像領域を表す第１副走査方向有効画像領域信号と、原稿画像データとを出力する画像処理手段と、
前記画像処理手段から出力される前記第１主走査方向有効画像領域信号と前記第１副走査方向有効画像領域信号の少なくとも一方と、前記原稿搬送装置から出力される色判定禁止信号とを組合せて、新たな第２主走査方向有効画像領域信号または第２副走査方向有効画像領域信号を生成する組合せ回路と、
前記第２主走査方向有効画像領域信号と、前記第２副走査方向有効画像領域信号と、前記原稿画像データとに基づいて画像の無彩色領域と有彩色領域とを判定する色領域判定手段と
を備え、前記色領域判定手段の判定結果に基づいて画像の記録動作を制御することを特徴とするカラー画像形成装置。
【請求項２】
前記原稿搬送装置をカラー画像形成装置本体に接続可能とし、本体に接続されているか否かを検知する原稿搬送装置接続検知手段をさらに備え、
前記組合せ回路は、前記第１主走査方向有効画像領域信号と前記第１副走査方向有効画像領域信号の少なくとも一方と、前記原稿搬送装置接続検知手段の検知結果と、前記色判定禁止信号とを組合せて、新たな第２主走査方向有効画像領域信号または第２副走査方向有効画像領域信号を生成し、
前記原稿搬送装置が本体に接続されている間は、前記第１主走査方向有効画像領域信号と前記第１副走査方向有効画像領域信号の少なくとも一方と、前記色判定禁止信号とを組合せて、新たな第２主走査方向有効画像領域信号または第２副走査方向有効画像領域信号を生成し、前記原稿搬送装置が本体に接続されていない間は、前記第１主走査方向有効画像領域信号と前記第１副走査方向有効画像領域信号をそのまま第２主走査方向有効画像領域信号または第２副走査方向有効画像領域信号として前記色領域判定手段に入力することを特徴とする請求項１に記載のカラー画像形成装置。
【請求項３】
前記組合せ回路は、
前記色判定禁止信号と前記原稿搬送装置接続検知手段の検知結果とに基づいて生成される信号の論理をソフトウェアにより変更可能とする第１組合せ回路と、
前記第１組合せ回路の出力と、前記第１主走査方向有効画像領域信号と前記第１副走査方向有効画像領域信号との少なくとも一方を組合せて、新たな第２主走査方向有効画像領域信号または第２副走査方向有効画像領域信号を生成する第２組合せ回路と
を備え、前記色領域判定手段の判定結果に基づいて画像の記録動作を制御することを特徴とする請求項２に記載のカラー画像形成装置。
【発明の詳細な説明】
【技術分野】
【０００１】
本発明は、読み取り画像が白黒画像（無彩色領域）なのかカラー画像（有彩色領域）なのかを色判定処理して画像形成を行うカラー画像形成装置に関するものである。
【背景技術】
【０００２】
従来のデジタル複写機等の画像形成装置では、読み取る原稿のカラー化、詳細化、自動原稿搬送装置（ＡＤＦ）での通紙対応等に伴い、読み取り画像を色判定処理（ＡＣＳ：Auto Color Select）する際に、白黒画像（無彩色領域）をカラー画像（有彩色領域）と誤判定することがあった。これは、主に３ラインＣＣＤ等の読取手段における読取間隔に起因する色ずれであったため、これらの色ずれを補正したり、ＡＣＳ判定を禁止したりする技術が用いられている（特許文献１）。
【０００３】
特許文献１に記載されているカラー画像形成装置は、入力画像信号に基づいて画像の無彩色領域と有彩色領域とを色領域判別手段によって判別制御することで、ＡＣＳによる原稿画像の色判定による誤判定や処理速度の低下を防止し、適正な出力画像が得られるように原稿画像の色判定を行うものである。この特許文献１における請求項１などでは、出力される記録画像の領域に応じて色領域判別手段の判別動作を禁止するための判別禁止信号を発生する判別禁止信号発生手段を具備している。
【０００４】
このような判別禁止信号発生手段を画像入力部のスキャナに施し、原稿を搬送しながら画像の読取りを行うシートスルータイプの原稿給紙装置（自動原稿搬送装置：ＡＤＦ）付きの画像形成装置を構成することができる。この場合、ＡＤＦを使って原稿の画像読取りを行うと、原稿給紙装置の分離機構やローラ等の原稿給紙装置内の原稿搬送機構に対して原稿の進入、脱出時における機械的振動や原稿搬送路中の原稿挙動による振動によって色ずれが発生し、ＡＣＳが誤判定になるおそれがある。
【０００５】
こういった原稿給紙装置の色ずれに対しては、大径搬送ローラを採用することによって解消することも提案されているが、ローラ単価が高くなる上、ローラを駆動する駆動源に高トルクモータが必要となることから、システム全体のコストが高くなる。
【０００６】
そこで、原稿が原稿搬送装置内の原稿搬送部材に進入、あるいは脱出する際に、色判定禁止信号を発生させて、ＡＣＳの誤検知を回避するカラー画像形成装置が提案されている（特許文献２）。
【０００７】
【特許文献１】特許第３３３０３９２号公報
【特許文献２】特開２００４−１０４７１８号公報
【発明の開示】
【発明が解決しようとする課題】
【０００８】
しかしながら、上記特許文献２では、カラー画像形成装置本体とこれに取り付けるＡＤＦの開発が同時に行われる場合は問題ないが、カラー画像形成装置側の色領域判定手段がＡＤＦから入力される色判定禁止信号に対応していないと、その機能が活用できなくなるため、ＡＣＳの誤検知が発生するという課題があった。この課題は、色領域判定手段を有するカラー画像形成装置本体に色判定禁止信号を出力するＡＤＦを接続する際に、常に起こり得るものである。
【０００９】
また、カラー画像形成装置の使用状態によっては、ＡＤＦを接続したり、あるいは非接続にしたりする場合も考えられ、ＡＤＦが接続されている場合は、色判定禁止信号によってＡＣＳの誤検知が回避可能となるが、ＡＤＦが接続されていない場合は、色判定禁止信号や主走査方向有効画像領域信号または副走査方向有効画像領域信号の論理によって、ＡＣＳ自体が機能しなくなるおそれがあった。
【００１０】
さらに、カラー画像形成装置によっては複数種類のＡＤＦが接続可能なものがあり、ＡＤＦの開発時期が違うと、色判定禁止信号の出力論理が異なってくる可能性も考えられ、単にカラー画像形成装置にＡＤＦを接続するだけでは、ＡＣＳが機能しなくなる恐れがあるという課題があった。
【００１１】
本発明は、上記に鑑みてなされたものであって、色領域判定手段を有するカラー画像形成装置に対応していない色判定禁止信号を出力するＡＤＦを接続したり、カラー画像形成装置の使用状態によってＡＤＦを接続あるいは非接続状態にしたり、色判定禁止信号の出力論理の異なるＡＤＦを接続したとしても、常に適正な色判定処理（ＡＣＳ）機能が実現可能なカラー画像形成装置を提供することを目的とする。
【課題を解決するための手段】
【００１２】
上述した課題を解決し、目的を達成するために、請求項１にかかる発明は、原稿を自動搬送する原稿搬送装置と、前記原稿搬送装置により原稿を搬送しながら原稿画像データを読み取る画像読み取り手段と、前記画像読み取り手段により読み取った原稿画像データの主走査方向の有効画像領域を表す第１主走査方向有効画像領域信号と、原稿画像データの副走査方向の有効画像領域を表す第１副走査方向有効画像領域信号と、原稿画像データとを出力する画像処理手段と、前記画像処理手段から出力される前記第１主走査方向有効画像領域信号と前記第１副走査方向有効画像領域信号の少なくとも一方と、前記原稿搬送装置から出力される色判定禁止信号とを組合せて、新たな第２主走査方向有効画像領域信号または第２副走査方向有効画像領域信号を生成する組合せ回路と、前記第２主走査方向有効画像領域信号と、前記第２副走査方向有効画像領域信号と、前記原稿画像データとに基づいて画像の無彩色領域と有彩色領域とを判定する色領域判定手段とを備え、前記色領域判定手段の判定結果に基づいて画像の記録動作を制御することを特徴とする。
【００１３】
また、請求項２にかかる発明は、請求項１に記載のカラー画像形成装置において、前記原稿搬送装置をカラー画像形成装置本体に接続可能とし、本体に接続されているか否かを検知する原稿搬送装置接続検知手段をさらに備え、前記組合せ回路は、前記第１主走査方向有効画像領域信号と前記第１副走査方向有効画像領域信号の少なくとも一方と、前記原稿搬送装置接続検知手段の検知結果と、前記色判定禁止信号とを組合せて、新たな第２主走査方向有効画像領域信号または第２副走査方向有効画像領域信号を生成し、前記原稿搬送装置が本体に接続されている間は、前記第１主走査方向有効画像領域信号と前記第１副走査方向有効画像領域信号の少なくとも一方と、前記色判定禁止信号とを組合せて、新たな第２主走査方向有効画像領域信号または第２副走査方向有効画像領域信号を生成し、前記原稿搬送装置が本体に接続されていない間は、前記第１主走査方向有効画像領域信号と前記第１副走査方向有効画像領域信号をそのまま第２主走査方向有効画像領域信号または第２副走査方向有効画像領域信号として前記色領域判定手段に入力することを特徴とする。
【００１４】
また、請求項３にかかる発明は、請求項２に記載のカラー画像形成装置において、前記組合せ回路は、前記色判定禁止信号と前記原稿搬送装置接続検知手段の検知結果とに基づいて生成される信号の論理をソフトウェアにより変更可能とする第１組合せ回路と、前記第１組合せ回路の出力と、前記第１主走査方向有効画像領域信号と前記第１副走査方向有効画像領域信号との少なくとも一方を組合せて、新たな第２主走査方向有効画像領域信号または第２副走査方向有効画像領域信号を生成する第２組合せ回路とを備え、前記色領域判定手段の判定結果に基づいて画像の記録動作を制御することを特徴とする。
【発明の効果】
【００１５】
請求項１にかかるカラー画像形成装置は、原稿搬送装置により原稿を自動搬送しながら画像読み取り手段を使って原稿画像データを読み取り、画像処理手段によって原稿画像データの主走査方向の有効画像領域を表す第１主走査方向有効画像領域信号と副走査方向の有効画像領域を表す第１副走査方向有効画像領域信号と原稿画像データとを出力する。組合せ回路は、第１主走査方向有効画像領域信号と第１副走査方向有効画像領域信号の少なくとも一方と、原稿搬送装置からの色判定禁止信号とを組合せて新たな第２主走査方向有効画像領域信号または第２副走査方向有効画像領域信号を生成する。色領域判定手段は、第２主走査方向有効画像領域信号と第２副走査方向有効画像領域信号と原稿画像データとに基づいて画像の無彩色領域と有彩色領域とを判定して、画像の記録動作を制御する。このため、カラー画像形成装置の色領域判定手段が原稿搬送装置からの色判定禁止信号に対応していなくても、組合せ回路を使って新たな主走査方向有効画像領域信号または副走査方向有効画像領域信号を生成し、これに基づいて色判定処理（ＡＣＳ）を行うので、ＡＣＳの誤検知の発生を防止できるという効果を奏する。
【００１６】
請求項２にかかるカラー画像形成装置は、さらに原稿搬送装置をカラー画像形成装置本体に接続可能とし、原稿搬送装置接続検知手段によって本体に接続されているか否かを検知できるようにする。組合せ回路は、第１主走査方向有効画像領域信号と第１副走査方向有効画像領域信号の少なくとも一方と、原稿搬送装置接続検知手段の検知結果と、色判定禁止信号とを組合せて新たな第２主走査方向有効画像領域信号または第２副走査方向有効画像領域信号を生成する。まず、原稿搬送装置が本体に接続されている間は、第１主走査方向有効画像領域信号と第１副走査方向有効画像領域信号の少なくとも一方と、色判定禁止信号とを組合せて、新たな第２主走査方向有効画像領域信号または第２副走査方向有効画像領域信号を生成する。また、原稿搬送装置が本体に接続されていない間は、第１主走査方向有効画像領域信号と第１副走査方向有効画像領域信号をそのまま新たな第２主走査方向有効画像領域信号または第２副走査方向有効画像領域信号として、色領域判定手段に入力する。このため、カラー画像形成装置の使用状態によって原稿搬送装置を接続する場合は、入力される色判定禁止信号を利用してＡＣＳの誤検知を回避することが可能となり、原稿搬送装置が非接続の場合は、色判定禁止信号を利用する必要がなくなり、色判定禁止信号の入力状態に関係なく、適正な色判定処理（ＡＣＳ）が行えるという効果を奏する。
【００１７】
請求項３にかかるカラー画像形成装置は、第１組合せ回路によって色判定禁止信号と原稿搬送装置接続検知手段の検知結果とに基づいて生成される信号の論理をソフトウェアにより変更可能とする。第２組合せ回路は、第１組合せ回路の出力と、第１主走査方向有効画像領域信号と第１副走査方向有効画像領域信号との少なくとも一方を組合せることにより、新たな第２主走査方向有効画像領域信号または第２副走査方向有効画像領域信号を生成する。色領域判定手段は、この第２主走査方向有効画像領域信号と第２副走査方向有効画像領域信号と原稿画像データとに基づいて画像の無彩色領域と有彩色領域とを判定して、画像の記録動作を制御する。このため、接続される原稿搬送装置によって色判定禁止信号の出力論理が異なっていても、第１組合せ回路によって信号の論理を変更することで、色判定処理（ＡＣＳ）の誤検知を回避し、ＡＣＳ機能を有効に利用できるという効果を奏する。
【発明を実施するための最良の形態】
【００１８】
以下に、本発明にかかるカラー画像形成装置の実施の形態を図面に基づいて詳細に説明する。なお、この実施の形態によりこの発明が限定されるものではない。
【００１９】
（第１の実施の形態）
図１は、本発明のカラー画像形成装置の概略構成を説明するブロック図であり、ここではカラーデジタル複写機を用いて実施したものである。図１に示すカラー画像形成装置１０は、原稿５０を順次自動搬送させる原稿搬送装置としての自動原稿搬送装置（以下、ＡＤＦという）２０、読み取った原稿画像データに基づいて画像を形成して転写紙（コピー５１）に転写する画像形成部３０、複数サイズの転写紙をストックしておくＢＡＮＫ４０などで構成されている。
【００２０】
本発明では、接続可能なＡＤＦ２０と、そのＡＤＦ２０によって搬送される原稿の画像データを読み取って、転写紙に画像形成する画像形成部３０とに特徴がある。ＡＤＦ２０は、不図示の接続部を介して画像形成部３０に着脱可能に接続されている。ＡＤＦ２０にセットされた原稿５０は、ＡＤＦ制御部２１によって順次搬送制御が行われる。
【００２１】
画像形成部３０は、ＡＤＦ制御部２１により搬送制御される原稿５０の画像データを順次読み取り、光電変換するシートスルータイプの読み取り制御部３２、光電変換された原稿画像データを電子写真プロセスに適した画像処理を施す画像処理部３３、画像処理部３３から入力された画像データに基づいて不図示のレーザーダイオードを点灯制御して感光体に静電潜像を形成する書き込み制御部３４、感光体に書き込まれた静電潜像を現像して転写紙に転写し定着処理を施して画像を形成する電子写真プロセス３５などを備えている。この電子写真プロセス３５を経ることでコピー５１が形成される。
【００２２】
また、画像形成部３０は、オペレータが操作パネルを使って指示する操作部制御部３６、外部ネットワークと接続可能な外部インターフェース（Ｉ／Ｆ）３７、上記各部を駆動する電源３６、上記各部の制御を行うシステム制御部３１などを備えている。
【００２３】
上記画像形成部３０で画像形成される転写紙は、ＢＡＮＫ４０にストックされており、ＢＡＮＫ制御部４１によって上記電子写真プロセスのタイミングに合わせて給紙される。
【００２４】
図２は、第１の実施の形態にかかるカラー画像形成装置の特徴部分の構成を説明するブロック図であり、図３は、図２の各部の信号波形図である。図２に示す画像形成部３０の画像処理部３３は、組合せ回路３３１、色領域判定手段としての色領域判定部３３２、第１画像処理部３３３、第２画像処理部３３４、・・・第ｎ画像処理部３３ｍなどで構成されている。
【００２５】
画像処理部３３では、読み取り制御部３２によって読み取られた原稿画像データに基づき、第１画像処理部３３３において主走査方向有効画像領域信号１と副走査方向有効画像領域信号１と画像データとが生成される。組合せ回路３３１では、このうちの主走査方向有効画像領域信号１または副走査方向有効画像領域信号１と、ＡＤＦ制御部２１からの色判定禁止信号とを組合せることによって、新たな主走査方向有効画像領域信号２および副走査方向有効画像領域信号２を生成する。そして、色領域判定部３３２では、組合せ回路３３１からの主走査方向有効画像領域信号２と副走査方向有効画像領域信号２と画像データとに基づいて、画像データの中に有彩色領域があるか否かを判定する（無彩色領域と有彩色領域の判別）。
【００２６】
これまでは、色領域判定部３３２にＡＤＦ制御部２１からの色判定禁止信号を直接入力して、色判定処理を禁止していた。しかし、画像処理部３３の色領域判定部３３２がＡＤＦ制御部２１からの色判定禁止信号に対応していないと、ＡＣＳ機能が活用できなくなる。このため、第１の実施の形態では、第１画像処理部３３３より出力される主走査方向有効画像領域信号１または副走査方向有効画像領域信号１と、色判定禁止信号とを組合せ回路３３１に入力して、新たな主走査方向有効画像領域信号２および副走査方向有効画像領域信号２を生成し、それを色領域判定部３３２に入力するようにした点に特徴がある。
【００２７】
図３の色判定禁止信号は、原稿５０の原稿搬送部材への進入時、および脱出時に原稿に振動や衝撃が発生すると、色判定処理（ＡＣＳ）が誤検知となる可能性が高いため、その間の色判定を禁止する信号である。ここでは、原稿５０の原稿搬送部材への進入時、および脱出時に色判定を禁止するようにしたが、これ以外の期間を禁止する信号としてもよい。
【００２８】
上記組合せ回路３３１内での信号の組合せ処理は、例えば図３のようにして行われる。色領域判定部３３２では、色判定禁止信号の有効期間時のみ主走査方向有効画像領域信号および副走査方向有効画像領域信号において有彩色領域があるかどうかを判定する。つまり、色判定禁止信号の無効期間を主走査方向有効画像領域信号１と副走査方向有効画像領域信号１とに組合せて、新たな主走査方向有効画像領域信号２と副走査方向有効画像領域信号２とを生成する（図３の破線部分参照）。
【００２９】
このように、第１の実施の形態によれば、色領域判定部３３２に直接対応していないＡＤＦ２０が接続され、色判定禁止信号が入力された場合でも、画像処理された主走査方向有効画像領域信号１と副走査方向有効画像領域信号１と色判定禁止信号とを組み合わせて、新たな主走査方向有効画像領域信号２と副走査方向有効画像領域信号２とを生成することで対応が可能になって、ＡＣＳ機能が活用できるようになる。
【００３０】
なお、第１の実施の形態（図３の場合）では、主走査方向有効画像領域信号１と副走査方向有効像領域信号１の両方を色判定禁止信号と組合せているが、いずれか一方と組合せるようにしても勿論よい。
【００３１】
（第２の実施の形態）
図４は、第２の実施の形態にかかるカラー画像形成装置の特徴部分の構成を説明するブロック図であり、図５は、図４の各部の信号波形図である。第２の実施の形態における特徴的な構成は、画像形成部３０にＡＤＦ２０が着脱可能に接続され、ＡＤＦ２０が接続されているか否かを検知するための原稿搬送装置接続検知手段としてのＡＤＦ接続検知部３９を備えている点にある。ＡＤＦ２０の接続の有無は、ＡＤＦ接続検知部３９から出力されるＡＤＦ接続検知信号によって組合せ回路３３１に伝えられる。その他の構成部分は、第１の実施の形態における図２と同様であるので、構成説明を省略する。
【００３２】
第２の実施の形態では、カラー画像形成装置の使用状態によって、ＡＤＦ２０が接続されている場合と非接続状態になる場合とを想定している。まず、ＡＤＦ２０が接続されている場合は、色判定禁止信号によりＡＣＳの誤検知が回避可能となるが、ＡＤＦが接続されていない場合は、色判定禁止信号と主走査方向有効画像領域信号１または副走査方向有効画像領域信号１の論理によって、ＡＣＳ自体が機能しなくなる可能性がある。このため、ＡＤＦの非接続状態が検出されると、色判定禁止信号が組合せ回路３３１に入力されなくなるため、主走査方向有効画像領域信号１または副走査方向有効画像領域信号１と色判定禁止信号とを組合せることなくそのままスルーして、主走査方向有効画像領域信号２または副走査方向有効画像領域信号２とし、色領域判定部３３２で色判定処理することにより、ＡＣＳが機能しなくなるのを防止するものである。
【００３３】
まず、図５に示すように、ＡＤＦ２０のＡＤＦ制御部２１は、原稿５０の原稿搬送部材への進入時および脱出時に色判定禁止信号を発生する。また、ＡＤＦ２０が画像形成部３０に接続されているか、非接続状態にあるかは、ＡＤＦ接続検知部３９によって検知され、その検知結果をＡＤＦ接続検知信号として組合せ回路３３１に出力する。
【００３４】
組合せ回路３３１では、ＡＤＦ接続検知部３９から入力されるＡＤＦ接続検知信号によって、ＡＤＦ２０の接続が検知されている間、第１の実施の形態と同様に、第１画像処理部３３３より出力される主走査方向有効画像領域信号１または副走査方向有効画像領域信号１と、色判定禁止信号とを組合せ回路３３１に入力して、新たな主走査方向有効画像領域信号２および副走査方向有効画像領域信号２を生成し、それを色領域判定部３３２に入力する。
【００３５】
しかし、組合せ回路３３１は、ＡＤＦ接続検知信号によってＡＤＦ２０が非接続となったことを検知すると、主走査方向有効画像領域信号１または副走査方向有効画像領域信号１と、色判定禁止信号との組合せ処理を行わずに、そのままスルーして、主走査方向有効画像領域信号２と副走査方向有効画像領域信号２として色領域判定部３３２に出力するようにする。
【００３６】
これを図５で見ると、ＡＤＦ接続検知信号が前半部分でＡＤＦの接続状態を示しているため、色判定禁止信号との組合せ処理を行っているが、後半部分ではＡＤＦが非接続状態を示しているが、論理の組合せによって、主走査方向有効画像領域信号１または副走査方向有効画像領域信号１が変更される可能性も出てくる。しかし、ＡＤＦ接続検知信号が非接続状態を示している間は、組合せ回路３３１での組合せ処理を行わないようにし、入力された信号（主走査方向有効画像領域信号１と副走査方向有効画像領域信号１）をそのまま（主走査方向有効画像領域信号２と副走査方向有効画像領域信号２として）出力するようにする。そして、色領域判定部３３２は、主走査方向有効画像領域信号２および副走査方向有効画像領域信号２が有効な期間にある場合のみ、有彩色領域かどうかを判定するようにする。
【００３７】
このように、第２の実施の形態によれば、ＡＤＦが画像形成装置との間で接続状態、あるいは非接続状態になったとしても、これを検知して組合せ回路の処理状態を変化させることができるため、ＡＣＳ機能を有効に活用することができる。
【００３８】
なお、第２の実施の形態（図５の場合）では、主走査方向有効画像領域信号１と副走査方向有効像領域信号１の両方を色判定禁止信号と組合せているが、いずれか一方と組合せるようにしても勿論よい。
【００３９】
（第３の実施の形態）
図６は、第３の実施の形態にかかるカラー画像形成装置の特徴部分の構成を説明するブロック図であり、図７は、ポート出力が“Ｈ”アクティブの場合の図６の各部の信号波形図であり、図８は、ポート出力が“Ｌ”アクティブの場合の図６の各部の信号波形図である。第３の実施の形態における特徴は、画像形成部３０に接続されるＡＤＦ２０の種類によって出力される色判定禁止信号の論理が異なる場合でも、ＡＣＳ誤検知を回避し、ＡＣＳ機能が有効活用できるようにするものである。具体的な構成としては、色判定禁止信号とＡＤＦ接続検知部３９の検知結果とを第１の組合せ回路３３１１を用いて生成する信号の論理を、システム制御部３１からのポート出力（ソフトウェア）によって変更可能とし、主走査方向有効画像領域信号１または副走査方向有効像領域信号１と、第１組合せ回路３３１１の出力とを第２組合せ回路３３１２を用いて、新たな主走査方向有効画像領域信号２または副走査方向有効像領域信号２を生成する点に特徴がある。その他の構成部分は、第２の実施の形態における図４と同様であるので、構成説明を省略する。
【００４０】
まず、図７の場合、ＡＤＦ制御部２１からは色判定禁止時にのみ“Ｈ”となる色判定禁止信号が入力されるため、システム制御部３１から第１組合せ回路３３１１へのポート出力を“Ｈ”アクティブとすることで、色判定禁止信号とＡＤＦ接続検知信号との組合せ結果は、図７に示す第１組合せ回路出力の信号波形となる。
【００４１】
そして、第２組合せ回路３３１２は、第１画像処理部３３３からの走査方向有効画像領域信号１および副走査方向有効像領域信号１と、図７の第１組合せ回路３３１１からの出力との組合せ結果を走査方向有効画像領域信号２または副走査方向有効像領域信号２として色領域判定部３３２に出力する。
【００４２】
また、図８の場合、ＡＤＦ制御部２１からは色判定禁止時にのみ“Ｌ”となる色判定禁止信号が入力されるため、システム制御部３１から第１組合せ回路３３１１へのポート出力を“Ｌ”アクティブとすることで、色判定禁止信号とＡＤＦ接続検知信号との組合せ結果は、図８に示す第１組合せ回路出力の信号波形となる。
【００４３】
このように、図７と図８の色判定禁止信号のタイミングは同じであるが、有効と禁止の論理が正反対であるにもかかわらず、第１組合せ回路３３１１からの出力波形（論理）を同じにすることができる。これは、システム制御部３１からのポート出力によって、色判定禁止信号などの論理をソフトウェアにより容易に変更できることを意味している。すなわち、複数種類のＡＤＦが接続可能な画像形成部３０の場合、接続するＡＤＦによって色判定禁止信号の論理が異なってくる可能性があるが、画像形成部３０に応じて適正な論理に変更することができる。
【００４４】
そして、第２組合せ回路３３１２では、第１画像処理部３３３からの走査方向有効画像領域信号１および副走査方向有効像領域信号１と、入力される色判定禁止信号の論理を調整した第１組合せ回路３３１１の出力とを組合せて、新たな主走査方向有効画像領域信号２と副走査方向有効画像領域信号２とを生成し、色領域判定部３３２に入力する。
【００４５】
色領域判定部３２では、入力される画像データに基づいて、主走査方向有効画像領域信号２と副走査方向有効画像領域信号２の有効期間の中に有彩色領域があるかどうかが判定される。
【００４６】
このように、第３の実施の形態によれば、画像形成部に接続されるＡＤＦによって出力される色判定禁止信号の論理が異なっていても、画像形成部に合った論理に変更することで、ＡＣＳ誤検知を回避し、ＡＣＳ機能を有効活用することができる。
【００４７】
なお、第３の実施の形態（図７および図８の場合）では、主走査方向有効画像領域信号１と副走査方向有効像領域信号１の両方を色判定禁止信号と組合せているが、いずれか一方と組合せるようにしても勿論よい。
【００４８】
また、第３の実施の形態（図７および図８の場合）では、ＡＤＦ接続検知信号が常に接続された状態で実施した場合を例にあげたが、必ずしもこれに限定されず、ＡＤＦが接続や非接続状態となる場合であってもよい。ＡＤＦ接続検知信号が非接続となる期間は、上記第２の実施の形態で説明した図５と同様の扱いとなる。すなわち、第２組合せ回路３３１２では、信号の組合せ処理が行われず、主走査方向有効画像領域信号１と副走査方向有効像領域信号１をそのままスルーさせ、主走査方向有効画像領域信号２と副走査方向有効像領域信号２として色領域判定部３３２に出力して、判定処理が行われる。
【産業上の利用可能性】
【００４９】
以上のように、本発明にかかるカラー画像形成装置は、原稿搬送装置を使って原稿を自動搬送しながら原稿画像を読み取り、無彩色領域と有彩色領域とを判定する色判定処理（ＡＣＳ）を行って、画像形成処理を行うカラーデジタル複写機などに適している。
【図面の簡単な説明】
【００５０】
【図１】本発明のカラー画像形成装置の概略構成を説明するブロック図である。
【図２】第１の実施の形態にかかるカラー画像形成装置の特徴部分の構成を説明するブロック図である。
【図３】図２の各部の信号波形図である。
【図４】第２の実施の形態にかかるカラー画像形成装置の特徴部分の構成を説明するブロック図である。
【図５】図４の各部の信号波形図である。
【図６】第３の実施の形態にかかるカラー画像形成装置の特徴部分の構成を説明するブロック図である。
【図７】ポート出力が“Ｈ”アクティブの場合の図６の各部の信号波形図である。
【図８】ポート出力が“Ｌ”アクティブの場合の図６の各部の信号波形図である。
【符号の説明】
【００５１】
１０  カラー画像形成装置
２０  ＡＤＦ
２１  ＡＤＦ制御部
３０  画像形成部
３１  システム制御部
３２  読み取り制御部
３３  画像処理部
３４  書き込み制御部
３５  電子写真プロセス
３６  操作部制御部
３７  外部Ｉ／Ｆ
３８  電源
３９  ＡＤＦ接続検知部
３３１  組合せ回路
３３１１  第１組合せ回路
３３１２  第２組合せ回路
３３２  色領域判定部
３３３  第１画像処理部
３３４  第２画像処理部
３３ｍ  第ｎ画像処理部
４０  ＢＡＮＫ
４１  ＢＡＮＫ制御部
５０  原稿
５１  コピー
６０  カラー画像形成装置
【図１】
2007060052.tif 000003
【図２】
2007060052.tif 000004
【図３】
2007060052.tif 000005
【図４】
2007060052.tif 000006
【図５】
2007060052.tif 000007
【図６】
2007060052.tif 000008
【図７】
2007060052.tif 000009
【図８】
2007060052.tif 000010